【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
複数の電流調整される出力と、
複数の電流駆動される負荷と、
を含み、
前記複数の電流調整される出力と前記複数の電流駆動される負荷とが、シングル電流ループ構成内に配置され、それぞれの電流調整される出力が、複数の電流駆動される負荷のそれぞれの電流駆動される負荷に出力電圧を提供し、
前記複数の電流駆動される負荷が、複数の発光ダイオード（ＬＥＤ）ストリングを含み、
第１の電流調整される出力の正の端子が第１のＬＥＤストリングのアノードに結合され、前記第１のＬＥＤストリングのカソードが第２の電流調整される出力の負の端子に結合され、これがＮ個の電流調整される出力とＮ個のＬＥＤストリングについて繰り返され、ここで、Ｎが１よりも大きい整数であり、Ｎ番目のＬＥＤストリングのカソードが前記第１の電流調整される出力の負の入力端子に結合されて前記シングル電流ループ構成を完成する、システム。
【請求項２】
請求項１に記載のシステムであって、
前記複数の電流調整される出力が、シングル多重出力の電流調整されるコンバータにより提供される、システム。
【請求項３】
請求項２に記載のシステムであって、
前記シングル多重出力の電流調整されるコンバータがシングルエンドコンバータである、システム。
【請求項４】
請求項１に記載のシステムであって、
前記電流調整される出力が、シングル多重出力の電流調整されるコンバータにより提供される出力である、システム。
【請求項５】
請求項４に記載のシステムであって、
前記シングル多重出力の電流調整されるコンバータが、ダブルエンドコンバータであり、
前記システムが、複数の全波ブリッジ整流器を更に含み、
前記ダブルエンドコンバータの各出力が前記複数の全波ブリッジ整流器の所与の全波ブリッジ整流器に結合され、全波整流を備えるダブルエンドコンバータを提供する、システム。
【請求項６】
請求項４に記載のシステムであって、
前記電流駆動される負荷を流れる電流を測定するための手段と、
前記電流駆動される負荷を通る前記測定された電流を使用するコンバータの一次電流を変調し、前記電流駆動される負荷を流れる電流を制御して調整する、変調器と、
を更に含む、システム。
【請求項７】
請求項４に記載のシステムであって、
前記コンバータの一次巻線を流れる電流を測定するための手段と、
前記測定された一次電流を用いる巻線を通る一次電流を変調し、前記電流駆動される負荷を流れる電流を制御して調整する、変調器と、
を更に含む、システム。
【請求項８】
請求項４に記載のシステムであって、
前記コンバータが、直列に結合され又は並列に結合される複数の一次巻線を含み、前記直列に結合される巻線の各々が複数の二次巻線に結合される、システム。
【請求項９】
実質的に一定で等しい電流を複数の電流駆動される負荷に提供するためのシステムであって、
複数の電流調整される出力を提供するシングル多重出力の電流調整されるコンバータと、
複数の発光ダイオード（ＬＥＤ）ストリングと、
を含み、
前記複数のＬＥＤストリングと前記複数の電流調整された出力とが、シングル電流ループ構成内に配置され、それぞれの電流調整される出力が、前記複数のＬＥＤストリングのそれぞれのＬＥＤストリングに出力電圧を提供し、
第１の電流調整される出力の正の端子が第１のＬＥＤストリングのアノードに結合され、前記第１のＬＥＤストリングのカソードが第２の電流調整される出力の負の端子に結合され、これがＮ個の電流調整される出力とＮ個のＬＥＤストリングについて繰り返され、ここで、Ｎが１よりも大きい整数であり、Ｎ番目のＬＥＤストリングのカソードが前記第１の電流調整される出力の負の入力端子に結合されて前記シングル電流ループ構成を完成する、システム。
【請求項１０】
請求項９に記載のシステムであって、
前記シングル多重出力の電流調整されるコンバータがシングルエンドコンバータ又はダブルエンドコンバータである、システム。
【請求項１１】
請求項９に記載のシステムであって、
前記シングル多重出力の電流調整されるコンバータがダブルエンドコンバータであり、
前記システムが、複数の全波ブリッジ整流器を更に含み、
前記ダブルエンドコンバータの各出力が、前記複数の全波ブリッジ整流器の所与の全波ブリッジ整流器に結合され、全波整流を有するダブルエンドコンバータを提供する、システム。
【請求項１２】
請求項９に記載のシステムであって、
前記コンバータが、
電圧源とスイッチとの間に結合される一次巻線と、
前記コンバータの前記一次巻線を流れる電流を測定するための手段と、
前記コンバータの入力電圧と、前記コンバータのフィードバック巻線によって提供される情報からの前記複数のＬＥＤストリングの全体の電圧との関数である基準を生成する基準生成器であって、前記スイッチのオン時間中に前記フィードバック巻線間の電圧が入力電圧に比例し、前記スイッチのオフ時間中に前記フィードバック巻線間の電圧が前記複数のＬＥＤストリングの全体の電圧に比例する、前記基準生成器と、
前記測定された電流と前記基準との間の差を増幅する増幅器と、
エラー増幅器によって駆動され、前記コンバータの一次電流を変調するよう前記スイッチを変調する変調器であって、前記複数のＬＥＤストリングを流れる電流を制御して調整する、前記変調器と、
を含む、システム。
【請求項１３】
請求項９に記載のシステムであって、
前記ＬＥＤストリングを流れる電流を測定する手段と、
前記測定された電流と電流基準との間の差を増幅する増幅器と、
エラー増幅器によって増幅され、前記増幅された差を使用する前記コンバータの一次電流を変調する変調器であって、前記複数のＬＥＤストリングを流れる電流を制御して調整する、前記変調器と、
を更に含む、システム。
【請求項１４】
請求項９に記載のシステムであって、
前記コンバータが、直列に結合され又は並列に結合される複数の一次巻線を含み、結合された巻線の各々が複数の二次巻線に結合される、システム。
【請求項１５】
実質的に一定で等しい電流を複数の電流駆動される負荷に提供する方法であって、
複数の電流調整される出力を提供するシングル多重出力の電流調整されるコンバータを提供することと、
複数の発光ダイオード（ＬＥＤ）ストリングを提供することと、
前記複数の電流調整される出力と前記複数のＬＥＤストリングとをシングル電流ループ構成内に配置することであって、それぞれの電流調整される出力が、それぞれのＬＥＤストリングに出力電圧を提供する、前記配置することと、
前記ＬＥＤストリングを流れる電流を測定することと、
前記測定された電流と電流基準との間の差を決定することと、
前記複数のＬＥＤストリングを流れる電流を制御して調整するため、前記差を用いる前記コンバータの一次電流を変調することと、
を含む、方法。
【請求項１６】
実質的に一定で等しい電流を複数の電流駆動される負荷に提供する方法であって、
複数の電流調整される出力を提供するシングル多重出力の電流調整されるコンバータを提供することと、
複数の発光ダイオード（ＬＥＤ）ストリングを提供することと、
前記複数の電流調整される出力と前記複数のＬＥＤストリングとをシングル電流ループ構成内に配置することであって、それぞれの電流調整された出力が、それぞれのＬＥＤストリングに出力電圧を提供する、前記配置することと、
前記コンバータの一次電流を流れる電流を測定することと、
前記測定された電流と電流基準との差を決定することと、
前記複数のＬＥＤストリングを流れる電流を制御して調整するため、前記差を用いる前記コンバータの一次電流を変調することと、
を含む、方法。
【請求項１７】
複数の電流調整される出力と、
複数の電流駆動される負荷と、
を含むシステムであって、
前記複数の電流調整される出力と前記複数の電流駆動される負荷とがシングル電流ループ構成内に配置され、それぞれの電流調整される出力が、前記複数の電流駆動される負荷のそれぞれの電流駆動負荷に出力電圧を提供し、
第１の電流調整される出力の正の端子が前記第１の負荷の正の端子に結合され、前記第１の負荷の負の端子が第２の電流調整される出力の負の端子に結合され、これがＮ個の電流調整される出力とＮ個の負荷について繰り返され、ここで、Ｎが１より大きい整数であり、Ｎ番目の負荷の負の端子が前記第１の電流調整される出力の負の入力端子に結合されて前記シングル電流ループ構成を構成する、システム。